(57)【特許請求の範囲】
【請求項１】
断熱の窓枠に断熱の内障子と断熱の外障子を引き違いに装着し、窓枠と内障子の間を気密すると共に、窓枠と外障子の間を気密した断熱窓において、
前記外障子の下框を、金属製室内側部材と金属製室外側部材を断熱材で連結し、その金属製室外側部材の下端部分が金属製室内側部材の下端部分、断熱材よりも下方に突出した形状とし、
前記外障子の戸当り框を、金属製室内側部材と金属製室外側部材を断熱材で連結し、その金属製室外側部材の下端部分が金属製室内側部材の下端部分、断熱材よりも下方に突出した形状とし、
前記外障子の召合わせ框を、金属製室内側部材と金属製室外側部材を断熱材で連結し、その金属製室外側部材の下端部分が金属製室内側部材の下端部分、断熱材よりも下方に突出した形状とし、
前記下框の断熱材と戸当り框の断熱材と召合わせ框の断熱材を見込み方向同一位置として、前記下框、戸当り框、召合わせ框の断熱ラインは同一とし、
前記下框の金属製室外側部材における金属製室内側部材・断熱材よりも下方に突出した部分の室内側面と、前記戸当り框の金属製室外側部材における金属製室内側部材・断熱材よりも下方に突出した部分の室内側面と、前記召合わせ框の金属製室外側部材における金属製室内側部材・断熱材よりも下方に突出した部分の室内側面を面一に連続し、
前記窓枠の下枠に外下横気密材を装着し、
前記外障子を閉じた状態で外下横気密材が、前記下框の金属製室外側部材における下方の突出部分の室内側面と、前記戸当り框の金属製室外側部材における下方の突出部分の室内側面と、前記召合わせ框の金属製室外側部材における下方の突出部分の室内側面にそれぞれ接するようにしたことを特徴とする断熱窓。
【請求項２】
前記外障子の召合わせ框は金属製室外側部材と金属製室内側部材を断熱材で連結した形状で、
前記金属製室外側部材は、中間仕切り縦板を備えた室外側部分と、この中間仕切り縦板に一体的に設けた室内側部分を有し、その中間仕切り縦板の室内側面が、下框の金属製室外側部材における下方の突出部分の室内側面と戸当り框の金属製室外側部材における下方の突出部分の室内側面とそれぞれ見込み方向同一位置である形状で、
前記召合わせ框の金属製室外側部材の室内側部分と金属製室内側部材の下端部分をそれぞれ切断して中間仕切り縦板の室内側面を、前述の召合わせ框の金属製室外側部材における下方の突出部分の室外側面とした請求項１記載の断熱窓。
【発明の詳細な説明】
【０００１】
【発明の属する技術分野】
本発明は、断熱の窓枠に断熱の内障子と断熱の外障子を引き違いに装着した断熱窓に関する。
【０００２】
【従来の技術】
上枠、下枠、左縦枠、右縦枠を、金属製室外側部材と金属製室内側部材を断熱材で連結した断熱形材とした断熱の窓枠に、断熱形材の框を用いた断熱の内障子、断熱の外障子を引き違いに装着した断熱窓が知られている。
かかる断熱の内障子、断熱の外障子の框は、金属製室外側部材と金属製室内側部材を断熱材で連結した断熱形材を用いている。
【０００３】
前記窓枠と内障子、外障子の間は気密材でそれぞれ気密される。
例えば、外障子の下框の金属製室内側部材の室内側面と、戸当り框の金属製室内側部材の室内側面と、召合わせ框の金属製室内側部材の室内側面を面一とする。
下枠に外下横気密材を装着し、この外下横気密材と前記各室内側面を接して下枠と外障子下部の間を気密している。
【０００４】
【発明が解決しようとする課題】
前述のように外障子の下框、戸当り框、召合わせ框の各金属製室内側部材の室内側面に外下横気密剤を接して下枠と外障子下部の間を気密すると、各金属製室内側部材と各断熱材が気密部分よりも室外寄りとなる。
このために、外障子下面と下枠上面の間の隙間から室内側に流れ込んだ外気が各金属製室内側部材、各断熱材に直接触れる。
したがって、断熱性能が低下する。
【０００５】
そこで、本発明は前述の課題を解決できるようにした断熱窓を提供することを目的とする。
【０００６】
【課題を解決するための手段】
第１の発明は、断熱の窓枠に断熱の内障子と断熱の外障子を引き違いに装着し、窓枠と内障子の間を気密すると共に、窓枠と外障子の間を気密した断熱窓において、
前記外障子の下框を、金属製室内側部材と金属製室外側部材を断熱材で連結し、その金属製室外側部材の下端部分が金属製室内側部材の下端部分、断熱材よりも下方に突出した形状とし、
前記外障子の戸当り框を、金属製室内側部材と金属製室外側部材を断熱材で連結し、その金属製室外側部材の下端部分が金属製室内側部材の下端部分、断熱材よりも下方に突出した形状とし、
前記外障子の召合わせ框を、金属製室内側部材と金属製室外側部材を断熱材で連結し、その金属製室外側部材の下端部分が金属製室内側部材の下端部分、断熱材よりも下方に突出した形状とし、
前記下框の断熱材と戸当り框の断熱材と召合わせ框の断熱材を見込み方向同一位置として、前記下框、戸当り框、召合わせ框の断熱ラインは同一とし、
前記下框の金属製室外側部材における金属製室内側部材・断熱材よりも下方に突出した部分の室内側面と、前記戸当り框の金属製室外側部材における金属製室内側部材・断熱材よりも下方に突出した部分の室内側面と、前記召合わせ框の金属製室外側部材における金属製室内側部材・断熱材よりも下方に突出した部分の室内側面を面一に連続し、
前記窓枠の下枠に外下横気密材を装着し、
前記外障子を閉じた状態で外下横気密材が、前記下框の金属製室外側部材における下方の突出部分の室内側面と、前記戸当り框の金属製室外側部材における下方の突出部分の室内側面と、前記召合わせ框の金属製室外側部材における下方の突出部分の室内側面にそれぞれ接するようにしたことを特徴とする断熱窓である。
【０００７】
第２の発明は、第１の発明において、前記外障子の召合わせ框は金属製室外側部材と金属製室内側部材を断熱材で連結した形状で、
前記金属製室外側部材は、中間仕切り縦板を備えた室外側部分と、この中間仕切り縦板に一体的に設けた室内側部分を有し、その中間仕切り縦板の室内側面が、下框の金属製室外側部材における下方の突出部分の室内側面と戸当り框の金属製室外側部材における下方の突出部分の室内側面とそれぞれ見込み方向同一位置である形状で、
前記召合わせ框の金属製室外側部材の室内側部分と金属製室内側部材の下端部分をそれぞれ切断して中間仕切り縦板の室内側面を、前述の召合わせ框の金属製室外側部材における下方の突出部分の室外側面とした断熱窓である。
【０００８】
【作用】
第１の発明によれば、外障子の下框、戸当り框、召合わせ框の金属製室外側部材における金属製室内側部材、断熱材よりも下方に突出した下方の突出部分の室内側面がそれぞれ面一に連続し、その各下方の突出部分の室内側面に下枠に装着した外下横気密材がそれぞれ接するので、窓枠の下枠と外障子下部の間を確実に気密できる。
【０００９】
また、外障子の下框、戸当り框、召合わせ框の金属製室内側部材と断熱材は前述の下枠と外障子下部との間の気密部よりも室内側寄りであるので、下枠上面と外障子下面との隙間から流れ込んだ外気が外障子の下框、戸当り框、召合せ框の金属製室内側部材、断熱材に触れることがなく、断熱性が向上する。
【００１０】
第２の発明によれば、召合わせ框の金属製室外側部材の室内側部分と金属製室内側部材の下端部分を切断することで、中間仕切り縦板の室内側面が外下横気密材と接する金属製室外側部材における下方の突出部分の室内側面となる。
したがって、樹脂部材などを用いる必要がなくコスト安である。
【００１１】
【発明の実施の形態】
図１に示すように、窓枠１内に内障子４０と外障子５０が面内方向に引き違いに装着されて引き違い窓を形成している。
前記窓枠１は上枠２と下枠３と左縦枠４と右縦枠５を方形枠形状に連結してある。
前記内障子４０は上框４１と下框４２と戸当り框４３と召合わせ框４４を方形枠形状に連結した框組体４５を備え、その框組体４５内にガラス４６が装着してある。
前記外障子５０は上框５１と下框５２と戸当り框５３と召合わせ框５４を方形枠形状に連結した框組体５５を備え、その框組体５５内にガラス５６が装着してある。
【００１２】
前記上枠２は図２に示すように金属製室外側部材２ａと金属製室内側部材２ｂを断熱材２ｃで連結した断熱形材である。
前記金属製室外側部材２ａの室内外側方向の寸法（以下見込み寸法という）と金属製室内側部材２ｂの見込み寸法は略同一で、断熱材２ｃは上枠２の見込み方向略中央部に位置している。
これによって、上枠２の断熱ラインは見込み方向略中央部である。
【００１３】
前記下枠３は図２に示すように金属製室外側部材３ａと金属製室内側部材３ｂを断熱材３ｃで連結した断熱形材である。
前記金属製室外側部材３ａの室内外側方向の寸法（以下見込み寸法という）と金属製室内側部材３ｂの見込み寸法は略同一で、断熱材３ｃは下枠３の見込み方向略中央部に位置している。
これによって、下枠３の断熱ラインは見込み方向略中央部である。
【００１４】
前記左縦枠４は図３に示すように金属製室外側部材４ａと金属製室内側部材４ｂを断熱材４ｃで連結した断熱形材である。
前記金属製室外側部材４ａの室内外側方向の寸法（以下見込み寸法という）と金属製室内側部材４ｂの見込み寸法は略同一で、断熱材４ｃは左縦枠４の見込み方向略中央部に位置している。
これによって、左縦枠４の断熱ラインは見込み方向略中央部である。
【００１５】
前記右縦枠５は図３に示すように金属製室外側部材５ａと金属製室内側部材５ｂを断熱材５ｃで連結した断熱形材である。
前記金属製室外側部材５ａの室内外側方向の寸法（以下見込み寸法という）と金属製室内側部材５ｂの見込み寸法は略同一で、断熱材５ｃは右縦枠５の見込み方向略中央部に位置している。
これによって、右縦枠５の断熱ラインは見込み方向略中央部である。
【００１６】
前述のように窓枠１は断熱の窓枠で、その断熱ラインは見込み方向略中央部で四周連続している。前述の各金属製室外側部材、金属製室内側部材はアルミニウム押出形材である。
【００１７】
前記上枠２の金属製室内側部材２ｂにおける断熱材２ｃよりも下方で、かつ室外側寄りには室外側に開口した凹条溝２ｄが形成され、この凹条溝２ｄの右半分（内外障子召し合わせ部分と右縦枠５との間）に内上横気密材６が装着してある。この内上横気密材６は断熱材２ｃの近くに位置する。
前記内上横気密材６は図４示すように、中空形状の取付部６ａと、この取付部６ａの上端部分に室外側に向けて一体的に設けた断熱ヒレ６ｂと、前記取付部６ａの下端部分に室外側に向けて一体的に設けた気密ヒレ６ｃを備えている。
【００１８】
前記取付部６ａが凹条溝２ｄに装着され、断熱ヒレ６ｂが断熱材２ｃに接して金属製室内側部材２ｂの断熱材支持部分２ｅを被覆している。
これによって、前述の断熱材支持部分２ｅに外気が触れないので断熱性能が向上する。
【００１９】
前記気密ヒレ６ｃは内障子４０の上框４１に接触して上框４１と上枠２との間に気密（止水）する。
前記気密ヒレ６ｃは低摺動ゴムで構成されている。例えば、表面に低摺動ゴムがコーティングしてある。
これによって、気密ヒレ６ｃと上框４１との摺動抵抗が小さく、気密ヒレ６ｃと上框４１を常に接触させて内障子４０の引き寄せを不要とすることが可能である。
したがって、内障子４０の引き寄せ機構が不要となってコストが安くなる。
【００２０】
また、上框４１と気密ヒレ６ｃが常に接触しているので、摺動片を不要とすることができる。
また、上框４１と気密ヒレ６ｃが常に接触しているため、内障子４０にかかった荷重を上框４１の長手方向全長から常に上枠２のガイド部に伝えることが可能で、上枠２のガイド部の強度を弱くすることが可能である。
【００２１】
また、取付部６ａは中空形状であるから、その取付部分の熱伝導率が低下し、断熱性能が向上する。つまり、内上横気密材６の取付部分から金属製室内側部材２ｂに外気が伝わり難くなるので、断熱性能が向上する。
【００２２】
前記下枠３の金属製室内側部材３ｂにおける断熱材３ｃよりも上方で、かつ室外側寄りには室外側に開口した凹条溝３ｄが形成され、この凹条溝３ｄの右半分に内下横気密材７が装着してある。この内下横気密材７は断熱材３ｃの近くに位置する。
前記内下横気密材７は図４示すように、中空形状の取付部７ａと、この取付部７ａの下端部分に室外側に向けて一体的に設けた断熱ヒレ７ｂと、前記取付部７ａの上端部分に室外側向けて一体的に設けた気密ヒレ７ｃを備えている。
【００２３】
前記取付部７ａが凹条溝３ｄに装着され、断熱ヒレ７ｂが断熱材３ｃに接して金属製室内側部材３ｂの断熱材支持部分３ｅを被覆している。
これによって、前述の断熱材支持部分３ｅに外気が触れないので断熱性能が向上する。
【００２４】
前記気密ヒレ７ｃは内障子４０の下框４２に接触して下框４２と下枠３との間に気密（止水）する。
前記気密ヒレ７ｃは低摺動ゴムで構成されている。例えば、表面に低摺動ゴムがコーティングしてある。
これによって、気密ヒレ７ｃと下框４２との摺動抵抗が小さく、気密ヒレ７ｃと下框４２を常に接触させて内障子４０の引き寄せを不要とすることが可能である。
したがって、内障子４０の引き寄せ機構が不要となってコストが安くなる。
【００２５】
また、下框４２と気密ヒレ７ｃが常に接触しているので、摺動片を不要とすることができる。
また、下框４２と気密ヒレ７ｃが常に接触しているため、内障子４０にかかった荷重を下框４２の長手方向全長から常に下枠３のガイド部に伝えることが可能で、下枠３のガイド部の強度を弱くすることが可能である。
【００２６】
また、取付部７ａは中空形状であるから、その取付部分の熱伝導率が低下し、断熱性能が向上する。つまり、内下横気密材７の取付部分から金属製室内側部材３ｂに外気が伝わり難くなるので、断熱性能が向上する。
【００２７】
前記右縦枠５（内障子４０の戸当り側）の金属製室内側部材５ｂにおける断熱材５ｃよりも内方で、かつ室外側寄りには室外側に開口した凹条溝５ｄが形成され、この凹条溝５ｄに内右縦気密材８が装着してある。この内右縦気密材８は断熱材５ｃの近くに位置する。
前記内右縦気密材８は図３示すように取付部８ａと、この取付部８ａの右端部分に室外側に向けて一体的に設けた断熱ヒレ８ｂと、前記取付部８ａの左端部分に室外側向けて一体的に設けた気密ヒレ８ｃを備えている。
【００２８】
前記取付部８ａが凹条溝５ｄに装着され、断熱ヒレ８ｂが断熱材５ｃに接して金属製室内側部材５ｂの断熱材支持部分５ｅを被覆している。
これによって、前述の断熱材支持部分５ｅに外気が触れないので断熱性能が向上する。
【００２９】
前記気密ヒレ８ｃは内障子４０の戸当り框４３に接触して戸当り框４３と右縦枠５との間に気密（止水）する。
前記気密ヒレ８ｃは低摺動ゴムで構成されている。例えば、表面に低摺動ゴムがコーティングしてある。
これによって、気密ヒレ８ｃと戸当り框４３との摺動抵抗が小さく、前述のように内障子４０の引き寄せを不要とし内障子４０を閉じた時に戸当り框４３とヒレ片８ｃ接触するようにしても、その内障子を小さな力で移動できる。
【００３０】
前述のようであるから、内障子４０を閉じると内上横気密材６の気密ヒレ６ｃが上框４１に接触し、内下横気密材７の気密ヒレ７ｃが下框４２に接触し、内右縦気密材８の気密ヒレ８ｃが戸当り框４３に接触する。
なお、上枠２の金属製室内側部材２ｂの室内側部分に室内側上横気密材９、下枠３の金属製室内側部材３ｂの室内側部分に室内側下横気密材１０、右縦枠５の金属製室内側部材５ｂの室内側部分に室内側右縦気密材１１がそれぞれ装着してある。
内障子４０を閉じると上框４１、下框４２、戸当り框４３がそれぞれの気密材に接触する。
【００３１】
図２に示すように、前記下枠３の金属製室内側部材３ｂの凹条溝３ｄにおける左半分には下枠カバー１２が係合して取付けてある。
この下枠カバー１２は金属製室外側部材３ａの室内側寄り上面に接して断熱材３ｃをカバーしている。
前記内下横気密材７と下枠カバー９は後述する下部風止板に接する。
【００３２】
前記上枠２の金属製室外側部材２ａには上枠カバー１３が取付けてある。
この上枠カバー１３は金属製室内側部材２ｂの断熱材支持部２ｅに接して断熱材２ｃをカバーしている。
前記上枠カバー１３の長手方向一端部が内上横気密材６の断熱ヒレ６ｂと接触している。
【００３３】
前記上枠２の内面は図２に示すように室内側垂下片１４、内障子ガイド１５、外障子ガイド１６、室外側垂下片１７で凹凸形状である。この内障子ガイド１５に前述の凹条溝２ｄが形成してある。
図５に示すように、上枠２は右縦枠５の内面に上シーラー１８を介して突き合わせ、ビスで連結してある。
この上シーラー１８は矩形板状の本体部１８ａと室内側垂下部１８ｂ、中間垂下部１８ｃ、室外側垂下部１８ｄで上枠２の断面形状に合致した形状で、室内側垂下部１８ｂに室内側垂下片１４の端面が圧接し、中間垂下部１８ｃに内障子ガイド１５が圧接し、室外側垂下部１８ｄに外障子ガイド１６と室外側垂下片１７が圧接する。
これによって、上枠２と右縦枠５の連結部を気密（水密）する。
【００３４】
上記上シーラー１８の中間垂下部１８ｃは右縦枠５の金属製室内側部材５ｂの断熱材支持部分５ｅに圧接し、この中間垂下部１８ｃに内上横気密材６の断熱ヒレ６ｂと内右縦気密材８の断熱ヒレ８ｂがそれぞれ接触している。
これによって、内上横気密材６の断熱ヒレ６ｂと内右縦気密材８の断熱ヒレ８ｂが上シーラー１８の中間垂下部１８ｃで連続するので、上枠２の金属製室内側部材２ｂの断熱材支持部分２ｅと右縦枠５の金属製室内側部材５ｂの断熱材支持部分５ｅのコーナー部分からの放熱が防止される。
したがって、断熱性能が向上する。
また、上シーラー１８を用いるだけで良く、コーナー部品などの上シーラー以外の部品が不良であるからコスト安である。
【００３５】
前記下枠３の上面は、室外側上面１９よりも断熱材上面２０が高く、断熱材上面２０よりも室内側上面２１が高い階段形状で、金属製室外側部材３ａの室内側部分に横向片２２が断熱材上面２０と同一高さに一体的に形成してある。
この横向片２２に室外側に開口した凹条溝２３が形成され、その凹条溝２３に外下横気密材２４が室外側に向けて装着してある。この外下横気密材２４は前述の内下横気密材７よりも下方に位置している。
【００３６】
図６に示すように、下枠３は右縦枠５の内面に下シーラー２５を介して突き合わせ、ビスで連結してある。
前記下シーラー２５の上端面は下枠３の上面と略同一形状の階段形状で、その下シーラー２５の見込み方向中間の上部分２５ａが右縦枠５の金属製室内側部材５ｂの断熱材支持部分５ｅに圧接し、この上部分２５ａに内下横気密材７の断熱ヒレ７ｂと内右縦気密材８の断熱ヒレ８ｂがそれぞれ接触している。
【００３７】
これによって、内下横気密材７の断熱ヒレ７ｂと内右縦気密材８の断熱ヒレ８ｂが下シーラー２５の上部分２５ａで連続するので、下枠３の金属製室内側部材３ｂの断熱材支持部分３ｅと右縦枠５の金属製室内側部材５ｂの断熱材支持部分５ｅのコーナー部分からの放熱が防止される。
したがって、断熱性能が向上する。
また、下シーラー２５を用いるだけで良く、コーナー部品などの上シーラー以外の部品が不良であるからコスト安である。
【００３８】
前記上枠２、下枠３と左縦枠４は前述と同様に上シーラー、下シーラーを介して連結される。
【００３９】
図３に示すように、前記左縦枠４の金属製室内側部材４ｂに室内側縦枠アタッチ２６が着脱自在に連結してあり、この縦枠アタッチメント２６に内左縦気密材２７が室外側に向けて装着してある。
左縦枠４の金属製室外側部材４ａの室内寄り部分に外左縦気密材２８が装着してある。
【００４０】
このようであるから、上部が外倒し窓で下部が引違い窓の段窓とする場合に、左縦枠４の下半分に室内側縦枠アタッチ２６を取付け、上半分に図７に示すように室内側縦枠アタッチメント２９と室外側縦枠アタッチメント３０を取付けることができる。
【００４１】
また、室内側縦枠アタッチメント２９と室外側縦枠アタッチメント３０を断熱材３１で連結して断熱縦枠アタッチメントとして断熱窓枠とする。
この場合には各縦枠アタッチメントをビス３２で金属製室外側部材４ａと金属製室内側部材４ｂに固着することで、乙種防火窓とすることが可能である。
【００４２】
前記左縦枠４の金属製室外側部材４ａは中空形状であるので、その上部と下部の小口を図８と図９に示すようにして塞ぐ。
金属製室外側部材４ａの中空部の上部寄りと下部寄りに発泡ポリエチレンなどのバックアップ材３３をそれぞれ嵌合すると共に、小口キャップ３４をそれぞれ取付けて上中空部分３５と下中空部分３６を形成する。
上下の窓枠組立用ビス挿通穴３７より上中空部分３５と下中空部分３６にポリサルファグ系シール材などのシール材を注入充填して小口を塞ぐ。
これにより、注入充填したシール材で確実に止水できる。
【００４３】
前記小口キャップ３４は金属製室外側部材４ａの端面に接する大きさのプレート３４ａと一側係止片３４ｂと他側係止片３４ｃで形成され、そのプレート３４ａの表面は金属製室外側部材４ａの表面と同一色に表面処理されている。
小口キャップ３４は前述の形状であるから、その一側係止片３４ｂ、他側係止片３４ｃを金属製室外側部材４ａの中空部にスナップ式に押し込んで係止することで容易に取付けできる。
【００４４】
前記窓枠組立用ビス挿通穴３７は左縦枠４と上枠２、下枠３を連結するビスを挿通するための穴であり、シール材を注入するために特別に穴を下降する必要がない。
【００４５】
上枠２と右縦枠５及び下枠３と右縦枠５も前述と同様に上シーラー、下シーラーを介して突き当てビスで連結されている。
【００４６】
前記内障子４０の上框４１は図２に示すように、金属製室外側部材４１ａと金属製室内側部材４１ｂを断熱材４１ｃで連結した断熱形材である。
下框４２も同様に金属製室外側部材４２ａと金属製室内側部材４２ｂを断熱材４２ｃで連結した断熱形材である。
前記戸当り框４３は図３に示すように金属製室外側部材４３ａと金属製室内側部材４３ｂを断熱材４３ｃで連結した断熱形材である。
【００４７】
前記各金属製室外側部材４１ａ，４２ａ，４３ａは縦板状で見込み寸法が小さい。
前記各金属製室内側部材４１ｂ，４２ｂ，４３ｂは中空形状で見込み寸法が大きい。
これによって、上框４１、下框４２、戸当り框４３の断熱材４１ｃ，４２ｃ，４３ｃは見込み方向室外側寄りで、断熱ラインは室外側寄りである。
【００４８】
前記上框４１の金属製室外側部材４１ａと金属製室内側部材４１ｂとの間には上向き凹部４１ｄが形成してある。この上向き凹部４１ｄに上枠２の内障子ガイド１５が突出し、内上横気密材６の気密ヒレ６ｃが金属製室外側部材４１ａの室内面に接する。
下框４２の金属製室外側部材４２ａの室内面に内下横気密材７の気密ヒレ７ｃが接する。
戸当り框４３の金属製室外側部材４３ａの室内面に内右縦気密材８の気密ヒレ８ｃが接する。
【００４９】
召合わせ框４４は図３に示すように金属製室外側部材４４ａと金属製室内側部材４４ｂを断熱材４４ｃで連結した断熱形材である。
前記金属製室内側部材４４ｂは内障子４０見込み方向に連続した見込み寸法大で、その室外側寄り部分に断熱材４４ｃを介して見込み寸法の小さな金属製室外側部材４４ａが連結してある。
召合わせ框４４の断熱材４４ｃは室外側寄りで、断熱ラインは上框４１、下框４２、戸当り框４３の断熱ラインと同一である。
【００５０】
このようであるから、内障子４０の断熱ラインは室外側寄りで、その内障子４０の断熱ラインと窓枠１の断熱ラインは見込み方向に接近している。
【００５１】
前記外障子５０の上框５１は図２に示すように、金属製室外側部材５１ａと金属製室内側部材５１ｂを断熱材５１ｃで連結した断熱形材である。
下框５２も同様に金属製室外側部材５２ａと金属製室内側部材５２ｂを断熱材５２ｃで連結した断熱形材である。
前記戸当り框５３は図３に示すように金属製室外側部材５３ａと金属製室内側部材５３ｂを断熱材５３ｃで連結した断熱形材である。
【００５２】
前記各金属製室内側部材５１ｂ，５２ｂ，５３ｂは縦板状で見込み寸法が小さい。
前記各金属製室外側部材５１ａ，５２ａ，５３ａは中空形状で見込み寸法が大きい。
これによって、上框５１、下框５２、戸当り框５３の断熱材５１ｃ，５２ｃ，５３ｃは見込み方向室内側寄りで、断熱ラインは室内側寄りである。
【００５３】
前記上框５１の金属製室外側部材５１ａの上部に上向き凹部５１ｄが形成され、その室内外側内面に一対の外上横気密材５７が装着してある。この上向き凹部５１ｄに上枠２の外障子ガイド１６が突出し、外上横気密材５７の気密ヒレ５７ａが外障子ガイド１６の室内外面に接する。
下框５２の金属製室外側部材５２ａの室内面に外下横気密材２４の気密ヒレ２４ａが接する。
戸当り框５３の金属製室外側部材５３ａの室内面に外左縦気密材２８の気密ヒレ２８ａが接する。
【００５４】
召合わせ框５４は図３に示すように金属製室外側部材５４ａと金属製室内側部材５４ｂを断熱材５４ｃで連結した断熱形材である。
前記金属製室外側部材５４ａは外障子５０見込み方向に連続した見込み寸法大で、その室内側寄り部分に断熱材５４ｃを介して見込み寸法の小さな金属製室内側部材５４ａが連結してある。
召合わせ框５４の断熱材５４ｃは室内側寄りで、断熱ラインは上框５１、下框５２、戸当り框５３の断熱ラインと同一である。
【００５５】
このようであるから、外障子５０の断熱ラインは室内側寄りで、その外障子５０の断熱ラインと窓枠１の断熱ラインは見込み方向に接近している。
【００５６】
図２と図１０に示すように、前記下框５２の金属製室外側部材５２ａは金属製室内側部材５２ｂよりも下方に突出し、その突出部分の室内側面に凹条溝５８が形成してある。
この凹条溝５８に樹脂製の下框カバー５９が長手方向から挿入して取付けてあり、この下框カバー５９が金属製室外側部材５２ａの室内側面ａと面一となっている。この室内側面ａは戸当り框５３の金属製室外側部材５３ａの室内側面ｂと見込み方向同一位置である。
【００５７】
図１０に示すように前記戸当り框５３の金属製室外側部材５３ａは金属製室内側部材５３ｂよりも下方に突出している。例えば、金属製室内側部材５３ｂの下端部分を切断して除去している。
戸当り框５３の金属製室外側部材５３ａの下端面と下框５２の金属製室外側部材５２ａの下面が同一高さで、戸当り框５３の金属製室内側部材５３ｂの下端面と下框５２の金属製室内側部材５２ｂの下面が同一高さである。
【００５８】
前記召合わせ框５４の金属製室外側部材５４ａは、図３と図１０に示すように、室外側縦板６０、中間仕切り縦板６１、第１内側縦板６２、第１外側縦板６３で中空形状となった室外側部分６４と、前記中間仕切り縦板６１に一体的に設けた第２内側縦板６５、前記第１外側縦板６３と連続した第２外側縦板６６、室内側縦板６７でコ字形状となった室内側部分６８によって室外側中空部６９と室内側中空部７０を有する断面形状である。
【００５９】
前記室外側縦板６０は第１内側縦板６２よりも内方に突出してガラス支持部６０ａを形成している。
前記中間仕切り縦板６１の内側寄りに溝状の断熱材装着部７１が形成してあり、この断熱材装着部７１よりも外側に第２内側縦板６５が一体的に設けてある。
その第２内側縦板６５の室内側寄りに溝状の断熱材装着部７２が形成してある。
前記室内側縦板６７に外煙返し７３が一体的に設けてあると共に、外召合わせ気密材７４が室内側に向けて装着してある。
【００６０】
前記召合わせ框５４の金属製室内側部材５４ｂは、面内方向に向う第１縦板７５と面外方向に向う第２縦板７６で断面Ｌ字形状で、その第２縦板７６に溝状の断熱材装着部７７が形成してある。
前記各断熱材装着部７１，７２，７７に断熱材５４ｃを設けて金属製室外側部材５４ａと金属製室内側部材５４ｂを連結している。第１縦板７５が室外側縦板６０のガラス支持部６０ａと対向してガラス支持部となる。
第２縦板７５が第１内側縦板６２と面内方向に同一位置である。
【００６１】
前記中間仕切り縦板６１の室内側面ｃは前記各室内側面ａ，ｂと見込み方向同一位置である。断熱材５４ｃは中間仕切り縦板６１よりも室内側に突出し、召合わせ框５４の断熱ラインは前記室内側面ｃよりも室内側となっている。
【００６２】
このようであるから、内障子４０、外障子５０を閉じた時に外障子５０の召合わせ框５４における金属製室内側部材５４ｂに外気が触れることがない。
しかも、召合わせ框５４の断熱材５４ｃは金属製室内側部材５４ａによって外気と遮断されるので、その断熱材５４ｃに外気が触れることがない。
【００６３】
前記召合わせ框５４の金属製室外側部材５４ｂにおける室内側部分６８の下端部分と金属製室内側部材５４ｂの下端部分は切断して除去され、図１１と図１２に示すように、その切断して除去された室内側部分６８の下端面ｄと金属製室内側部材５４ｂの下端面ｅが下框５２の金属製室内側部材５２ｂの下面ｆと同一高さで、中間仕切り縦板６１を含む室外側部分の下端面ｇは下框５２の金属製室外側部材５２ａの下面ｈと同一高さである。
【００６４】
前記下框５２の断熱材５２ｃの下面と召合わせ框５４の断熱材５４ｃの下端面が同一高さとなり、これらの下面、下端面よりも召合わせ框５４の金属製室外側部材５４ａにおける室外側部分６４が下方に突出し、その室内側面ｃと下框５２の金属製室外側部材５２ａの室内側面ａが面一に連続する。
【００６５】
このようであるから、外障子５０を閉じた時に外下横気密材２４の気密ヒレ２４ａが下框５２の金属製室外側部材５２ａの室内側面ａ、戸当り框５３の金属製室外側部材５３ａの室内側面ｂ、召合わせ框５４の室内側面ｃ（つまり、断熱材５４ｃよりも室外寄りの室内側面）に連続して接触する。
したがって、下枠３の金属製室外側部材３ａと外障子５０の下端部分の間を確実に気密できる。
【００６６】
また、下框５２、戸当り框５３、召合わせ框５４の下端部分（つまり、外障子５０の下部）は、室外側部分が室内側部分よりも下方に突出し、室内側部分下面と断熱材下面が面一となって階段形状であるので、階段形状の下枠３に外障子５０を装着できる。
しかも、外下横気密材２４が外障子５０の断熱ライン上に位置するので、下枠３の見込み寸法を小さくできる。
しかも、召合わせ框５４が前述の断面形状で、その中間仕切り縦板６１で外下横気密材２４と接する室内側面ｃを形成しているので、召合わせ框５４の下部に気密用の樹脂部品を取付ける必要がない。
【００６７】
図１０に示すように、戸当り框５３の金属製室外側部材５３ａの中空部には戸当り上部摺動片８０、戸当り下部摺動片８１が装着される。
召合わせ框５４の室外側中空部６９には召合わせ上部摺動片８２、召合わせ下部摺動片８３が装着される。
前記召合わせ框５４の室外側中空部６９の下端部分にキャップ部材８４が装着され、このキャップ部材８４のヒレ８５が外召合わせ気密材７４と連続する。
【００６８】
次に窓枠の詳細を説明する。
図１３に示すように、下枠３の障子召合わせ部分と対向した位置に下部風止板９０が取付けてある。
前記下部風止板９０は図１４と図１５に示すように、ベース９１とヒレ部材９２より成る。
前記ベース９１はＬ字形状の本体９１ａと横向片９１ｂと下向片９１ｃを備え、本体９１ａには一対の係止部９３が一体的に設けてある。
前記ヒレ部材９２はプレート９２ａに上向きヒレ９２ｂと下向きヒレ９２ｃを設けた形状で、そのプレート９２ａがベース９１の本体９１ａの上面に接着固定され、下向きヒレ９２ｃはベース９の本体９１ａの下面より下方に突出し、かつ上向きヒレ９２ｂと下向きヒレ９２ｃは連続している。
【００６９】
下枠３の金属製室内側部材３ｂにおける凹条溝３ｄを形成する上部分に一対の切欠き部９４が形成され、金属製室外側部材３ａの横向片２２に切欠き部９５が形成してある。
ベース９１の一対の係合部９３を一対の切欠き部９４に係合すると共に、下向片９１ｃを切欠部９５に嵌め込んで下部風止板９０が下枠３に取付けられる。この取付部分にシールを充填する。これによって、外下横気密材２４が下向きヒレ９２ｃに接すると共に、下枠カバー１２が横向片９１ｂに重なり合う。
【００７０】
このようであるから、内障子４０と外障子５０を閉じると上向きヒレ９２ｂが内障子４０の召合わせ框４４下端面と外障子５０の召合わせ框５４下端面に接し、上向きヒレ９２ｂと下向きヒレ９２ｃが外障子５０の召合わせ框５４室内側面ｃに接する。
したがって、内・外障子の召合わせ部分と下枠３の間を気密する。
【００７１】
なお、上枠２の内・外障子の召合わせ部分と対向した位置に上部風止板９６が取付けてあり、各召合わせ框４４，５４の上端面と上枠２の内面との間を気密している。
【００７２】
図３に示すように、外障子５０の戸当り框５３における金属製室外側部材５３ａと金属製室内側部材５３ｂとの間に凹部Ａが形成され、この凹部Ａの室内寄り部分は隙間Ｂで室内に連通し、かつ図２に示す下枠３の金属製室外側部材３ａの上面（室外側上面１９）まで連続するので、前記凹部Ａには外気が入り込む。
この凹部Ａに入り込んだ外気は隙間Ｂより左縦枠４の金属製室内側部材４ｂに触れるので、断熱性が低下する。
【００７３】
図１３と図１６に示すように、下枠アタッチメント１２の左縦枠４寄り部分に下部塞ぎ部材１００を取付ける。
この下部塞ぎ部材１００は図１７に示すように、プレート１０１上面に多数のシール糸（モヘヤ）１０２を固着したもので、そのシール糸１０２が左縦枠４の金属製室外側部材４ａの下部内面に接する。
外障子５０を閉じると戸当り框５３の金属製室内側部材５３ｂ、断熱材５３ｃの下端面がシール糸１０２に接する。
【００７４】
これによって、前述の凹部Ａの室内寄り部分の下部が閉塞され、下枠３の室外側上面１９まで連続しなくなる。
なお、前述の凹部Ａの室外寄り部分の下部は、外左縦気密材２８が戸当り框５３の室内側面ｂに接し、かつ外下横気密材２４に接していることで閉塞される。
したがって、隙間Ｂから外気が室内に流れないので断熱性が向上する。
【００７５】
前記外障子５０の戸当り框５３と左縦枠４との間には前述の隙間Ｂがあると共に、前記凹部Ａの上部は上枠２の内面まで連続しているので、凹部Ａの上部から凹部Ａに外気が入り込み、その外気は前述の隙間Ｂから室内に入り込むので、断熱性が低下する。
【００７６】
図１３と図１８に示すように、上枠アタッチメント１３の左縦枠４寄りに上部塞ぎ材１１０を取付ける。
この上部塞ぎ材１１０は図１９に示すように、プレート１１１の下面に多数のシール糸（モヘヤ）１１２を設けた形状で、シール糸１１２が左縦枠４の金属製室外側部材４ａの内面に接している。
【００７７】
外障子５０を閉じた時に戸当り框５３の上端面が上部塞ぎ材１１０のシール糸１１２に接し、凹部Ａの上部を閉塞する。
これによって、上枠２と戸当り框５３の上端面との隙間から外気が凹部Ａ内に流れ込まないので、断熱性が向上する。
【００７８】
【発明の効果】
請求項１に係る発明によれば、外障子の下框、戸当り框、召合わせ框の金属製室外側部材における金属製室内側部材、断熱材よりも下方に突出した下方の突出部分の室内側面がそれぞれ面一に連続し、その各下方の突出部分の室内側面に下枠に装着した外下横気密材がそれぞれ接するので、窓枠の下枠と外障子下部の間を確実に気密できる。
【００７９】
また、外障子の下框、戸当り框、召合わせ框の金属製室内側部材と断熱材は前述の下枠と外障子下部との間の気密部よりも室内側寄りであるので、下枠上面と外障子下面との隙間から流れ込んだ外気が外障子の下框、戸当り框、召合せ框の金属製室内側部材、断熱材に触れることがなく、断熱性が向上する。
【００８０】
請求項２に係る発明によれば、召合わせ框の金属製室外側部材の室内側部分と金属製室内側部材の下端部分を切断することで、中間仕切り縦板の室内側面が外下横気密材と接する金属製室外側部材における下方の突出部分の室内側面となる。
したがって、樹脂部材などを用いる必要がなくコスト安である。
【図面の簡単な説明】
【図１】断熱窓の内観図である。
【図２】窓枠、内障子、外障子の縦断面図である。
【図３】窓枠、内障子、外障子の横断面図である。
【図４】窓枠、内障子の縦断面図である。
【図５】上枠と右縦枠の連結部の斜視図である。
【図６】下枠と右縦枠の連結部の斜視図である。
【図７】段窓とした場合の外倒し窓の左側部分の横断面図である。
【図８】左縦枠の上部小口塞ぎ部分の斜視図である。
【図９】左縦枠の下部小口塞ぎ部分の斜視図である。
【図１０】外障子の分解斜視図である。
【図１１】外障子の召合わせ框下部と下框連結部の斜視図である。
【図１２】外障子の召合わせ框下部と下框連結部の正面図である。
【図１３】窓枠の分解斜視図である。
【図１４】下部風止板を外した状態の斜視図である。
【図１５】下部風止板を取付けた状態の斜視図である。
【図１６】下部塞ぎ材取付状態の説明用平面図である。
【図１７】下部塞ぎ材取付状態の斜視図である。
【図１８】上部塞ぎ材取付状態の説明用平面図である。
【図１９】上部塞ぎ材取付状態の斜視図である。
【符号の説明】
１…断熱の窓枠
２…上枠
２ａ…金属製室外側部材
２ｂ…金属製室内側部材
２ｃ…断熱材
３…下枠
３ａ…金属製室外側部材
３ｂ…金属製室内側部材
３ｃ…断熱材
４…左縦枠
４ａ…金属製室外側部材
４ｂ…金属製室内側部材
４ｃ…断熱材
５…右縦枠
５ａ…金属製室外側部材
５ｂ…金属製室内側部材
５ｃ…断熱材
２４…外下横気密材
４０…断熱の内障子
４１…上框
４１ａ…金属製室外側部材
４１ｂ…金属製室内側部材
４１ｃ…断熱材
４２…下框
４２ａ…金属製室外側部材
４２ｂ…金属製室内側部材
４２ｃ…断熱材
４３…戸当り框
４３ａ…金属製室外側部材
４３ｂ…金属製室内側部材
４３ｃ…断熱材
４４…召合わせ框
４４ａ…金属製室外側部材
４４ｂ…金属製室内側部材
４４ｃ…断熱材
５０…断熱の外障子
５１…上框
５１ａ…金属製室外側部材
５１ｂ…金属製室内側部材
５１ｃ…断熱材
５２…下框
５２ａ…金属製室外側部材
５２ｂ…金属製室内側部材
５２ｃ…断熱材
５３…戸当り框
５３ａ…金属製室外側部材
５３ｂ…金属製室内側部材
５３ｃ…断熱材
５４…召合わせ框
５４ａ…金属製室外側部材
５４ｂ…金属製室内側部材
５４ｃ…断熱材
６１…中間縦仕切り縦板
６４…室外側部分
６８…室内側部分
ａ…下框金属製室外側部材の室内側面
ｂ…戸当り框金属製室外側部材の室内側面
ｃ…召合わせ框金属製室外側部材の室内側面
【図１】
0003665951.tif 000002
【図２】
0003665951.tif 000003
【図３】
0003665951.tif 000004
【図４】
0003665951.tif 000005
【図５】
0003665951.tif 000006
【図６】
0003665951.tif 000007
【図７】
0003665951.tif 000008
【図８】
0003665951.tif 000009
【図９】
0003665951.tif 000010
【図１０】
0003665951.tif 000011
【図１１】
0003665951.tif 000012
【図１２】
0003665951.tif 000013
【図１３】
0003665951.tif 000014
【図１４】
0003665951.tif 000015
【図１５】
0003665951.tif 000016
【図１６】
0003665951.tif 000017
【図１７】
0003665951.tif 000018
【図１８】
0003665951.tif 000019
【図１９】
0003665951.tif 000020